(57)【要約】【課題】ストッパ不使用時の紛失、及び出入りの妨げを防止しつつ、ドアの美観を維持できるストッパ付きドアを提供すること。【解決手段】ドア本体１０に、下端開放のドア内空間１０ａと、ドア内空間１０ａの部分で内側ドア本体壁１０ｆを上下方向に所定長さ伸長するように貫通して形成されたドア壁開口部１０ｂと、を設け、ストッパ１２を、操作突起１７を突出させた状態でドア内空間１０ａに装填し、ドア本体１０に、操作突起１７の上下方向位置を固定する操作突起位置固定部３６を設ける。これにより、ストッパ１２は、ドア内空間１０ａに装填されているので、ストッパ１２の紛失の恐れがなくまた、出入りの邪魔になることもない。更に、外部からストッパ１２をほとんど視認できないので、ドア本体１０の美観を損なうこともない。【選択図】図２
0003119781.tif 000002
【実用新案登録請求の範囲】
【請求項１】
ドア本体と、前記ドア本体の開閉移動を所定の位置で制止し前記ドア本体の半開放状態を維持するストッパと、を有するストッパ付きドアにおいて、
前記ドア本体は、
下部に形成された下端開放のドア内空間と、該ドア内空間の部分でドア本体壁を上下方向に所定長さ伸長するように貫通して形成されたドア壁開口部と、を有し、
前記ストッパは、
前記ドア内空間に上下動可能に装填され、該装填状態で前記ドア壁開口部から突出した操作突起を有し、該操作突起の上下操作によって上下動可能で、下方操作位置で前記ドア本体の下端開放から下端部が所定長さ突出され、
前記ドア本体には、
前記操作突起の上下方向位置を固定する操作突起位置固定部が設けられたことを特徴とするストッパ付きドア。
【請求項２】
前記ストッパは、
前記下端部に前記床面に対する摩擦力の大きな当接制止部材を有することを特徴とする請求項１に記載のストッパ付きドア。
【請求項３】
前記ストッパは、
前記当接制止部材の床面への当接を付勢する付勢手段を有することを特徴とする請求項１に記載のストッパ付きドア。
【請求項４】
前記ドア内空間には、
前記ストッパの収容部内壁を構成すると共に前記ストッパの上下方向の移動経路を構成する支持枠体が設けられたことを特徴とする請求項１〜３の何れか１項に記載のストッパ付きドア。
【請求項５】
前記操作突起位置固定部は、
前記操作突起の上下動を許容する上下孔と、前記操作突起の位置ずれを許容するように該上下孔に連続形成された係止孔部と、を有し、前記上下孔及び前記係止孔部が前記開口部の存在する位置に位置するように前記ドア本体に取付けられたことを特徴とする請求項１〜４の何れか１項に記載のストッパ付きドア。
【請求項６】
前記係止孔部は、
上下方向位置の異なる複数箇所に設けられたことを特徴とする請求項５に記載のストッパ付きドア。
【請求項７】
前記ドア本体に下端開放で設けられた前記ドア内空間は、
前記ドア本体の自由端側の側面の下端部に開口して形成され、
前記ドア本体側面の開口には、該開口を閉塞する着脱自在の保護被覆部材が設けられたことを特徴とする請求項１〜６の何れか１項に記載のストッパ付きドア。
【考案の詳細な説明】
【技術分野】
【０００１】
本考案は、ストッパ付きドアに関するものであり、特にドアの半開放状態を維持するためのストッパを備えたドアに関する。
【背景技術】
【０００２】
従来、ドア開閉の途中位置でその半開放状態を維持するために用いられる手段として、磁力を利用してドアの閉塞方向の移動を制止する技術、或いは、ねじ止めによりドアの閉塞方向の移動を制止する技術等があった。例えば、磁力を利用してドアを制止するものとして、ドア（床面）に磁石を設け、床面（ドア）に磁性体を設けることによりこれらの引力でドアを固定し開放状態を維持するものがあり、この場合、磁性体を設けた位置でしかドアを固定することができず、所望の開放度でドアの開放状態を維持することができない場合があった。また、ねじ止めによりドアを制止する方法は、制止及び制止の解除を行う度に、わざわざ工具を用いてねじを外す或いは、緩める作業を行わなければならず、面倒であった。
【０００３】
このような問題を解決するための技術として、特許文献１では、棒状のストッパの基端部に、ドアに吸着する吸盤を取付け、床面と接する部分である先端部に制止用キャップを設けたストッパが開示されている。このストッパは、吸盤をドアの下部の表面に吸着させ、上記キャップを床面に当接させて使用し、キャップと床面の間の摩擦力を利用してドアの閉塞方向の力に抗して、ドアを半開き状態のまま維持するというものである。
【０００４】
また、特許文献２では、弾性を有する球体に同じく弾性を有するリング型の板を取り付けて成るストッパが開示されている。この技術では、ドアの閉じる方向に対して球体がそれを遮る位置となるようにリング型の板をドアの下方の隙間に挿入することにより、ドアが閉じる際に下端部が球体に衝突してドアの閉方向への移動を妨げドアの半開き状態を維持するというものである。そして、ストッパを使用しない時にはドアノブにリング型の板を引っ掛けて保管しておくことが可能であった。
【０００５】
これら、両文献の技術であれば、任意の開度でドアの半開放状態を維持することができ、煩雑な作業を必要とせずストッパを使用することができる。
【０００６】
【特許文献１】実登３０２６２８８公報
【特許文献２】特開平９−２７３３４７公報
【考案の開示】
【考案が解決しようとする課題】
【０００７】
しかし、特許文献１の技術では、ストッパを使用しない時には、ストッパをドアから外して保管するため、しばしばストッパを紛失してしまうという問題が生じていた。このストッパの紛失を防止するために、ストッパを常にドアに取付けておくという解決案が容易に想起されるが、その場合、ストッパが人の出入りの妨げになってしまったり、ドアの美観を損ねたりしてしまうという問題が発生する。
【０００８】
これに対して、特許文献２の技術では、ストッパを使用しない際には、ドアノブに掛けて保管することにより紛失を防止することが可能で、ストッパがドアノブに掛かっていれば通行の妨げになることもない。しかし、ストッパがドアノブに掛かっている状態は見栄えが悪いため、この技術でもドアの美観が損なわれるという問題を解決できなかった。
【０００９】
本考案はこのような事情に鑑みてなされたものであり、その目的は、ストッパ不使用時の紛失、及び出入りの妨げを防止しつつ、ドアの美観を維持できるストッパ付きドアを提供することである。
【課題を解決するための手段】
【００１０】
上記目的を達成するために、請求項１に記載の考案は、ドア本体と、前記ドア本体の開閉移動を所定の位置で制止し前記ドア本体の半開放状態を維持するストッパと、を有するストッパ付きドアにおいて、前記ドア本体は、下部に形成された下端開放のドア内空間と、該ドア内空間の部分でドア本体壁を上下方向に所定長さ伸長するように貫通して形成されたドア壁開口部と、を有し、前記ストッパは、前記ドア内空間に上下動可能に装填され、該装填状態で前記ドア壁開口部から突出した操作突起を有し、該操作突起の上下操作によって上下動可能で、下方操作位置で前記ドア本体の下端開放から下端部が所定長さ突出され、前記ドア本体には、前記操作突起の上下方向位置を固定する操作突起位置固定部が設けられたことを特徴とする。
【００１１】
これにより、ドア内空間に装填されたストッパを使用する際に、ドア本体の開口部から突出した操作突起に対する操作で、ストッパを下方移動させることにより、ストッパをドア本体の下方に突出させ、床面に当接させた状態で操作突起位置固定部により固定することでストッパの上下位置を固定する。これにより、このストッパの床面との当接でドア本体の開閉移動を制止し、ドア本体の半開状態を維持することができる。そして、使用を終える時には、上記操作突起によりストッパを上方移動させ、下方先端を床面から離した状態として、上述のように、操作突起を操作突起位置固定部で固定することによってストッパの位置を固定する。
【００１２】
従って、本考案にかかるストッパ付きドアでは、ストッパがドア内空間に装填されているので、ストッパ紛失の恐れがなくまた、出入りの邪魔になることもない。更に、外部からはほとんど視認できないので、ドアの美観を損なうこともない。
【００１３】
請求項２に記載の考案は、請求項１に記載のストッパ付きドアにおいて、前記ストッパは、前記下端部に前記床面に対する摩擦力の大きな当接制止部材を有することを特徴とする。これにより、ストッパと床面との間の摩擦力を増加させ、ドア本体を制止する力を強くすることができる。従って、ドア本体の制止の確実性が高まる。
【００１４】
請求項３に記載の考案は、請求項１又は２に記載のストッパ付きドアにおいて、前記ストッパは、前記当接制止部材の床面への当接を付勢する付勢手段を有することを特徴とする。これにより、付勢手段による付勢力でストッパの床面に対する押圧力を常に確保することができ、ストッパと床面との係合力を増加させることができる。従って、ドア本体の高重量化にも対応することができる。
【００１５】
請求項４に記載の考案は、請求項１〜３の何れか１項に記載のストッパ付きドアにおいて、前記ドア内空間には、前記ストッパの収容部内壁を構成すると共に前記ストッパの上下方向の移動経路を構成する支持枠体が設けられたことを特徴とする。これにより、ストッパは、支持枠体に収容されると共に、支持枠体が構成する移動経路に沿って上下移動することができる。従って、ストッパのドア内空間内での横ずれを防止し、移動の安定化が図られる。
【００１６】
請求項５に記載の考案は、請求項１〜４の何れか１項に記載のストッパ付きドアにおいて、前記操作突起位置固定部は、前記操作突起の上下動を許容する上下孔と、前記操作突起の位置ずれを許容するように該上下孔に連続形成された係止孔部と、を有し、前記上下孔及び前記係止孔部が前記開口部の存在する位置に位置するように前記ドア本体に取付けられたことを特徴とする。
【００１７】
これにより、複雑な構成を必要とすることなく、上下孔及び、その上下孔に孔を連続形成するだけの容易な構成方法で、操作突起を移動及び固定させる機構を構成することができる。
【００１８】
請求項６に記載の考案は、請求項５に記載のストッパ付きドアにおいて、前記係止孔部は、上下方向位置の異なる複数箇所に設けられたことを特徴とする。
これにより、ドア本体と床面との隙間の大きさに応じて上下方向位置にある係止孔部を選択して使用することで、適切な位置にストッパを固定させることができ、ドア本体の開閉動作に対する制止力を的確に得ることができる。
【００１９】
請求項７に記載の考案は、請求項１〜６の何れか１項に記載のストッパ付きドアにおいて、前記ドア本体に下端開放で設けられた前記ドア内空間は、前記ドア本体の自由端側の側面の下端部に開口して形成され、前記ドア本体側面の開口には、該開口を閉塞する着脱自在の保護被覆部材が設けられたことを特徴とする。これにより、保護被覆部材を取外すという簡易な動作で、ストッパ及びその周辺部材を露出させることができ、それらの部材のメンテナンスや清掃を容易に行うことができる。
【考案の効果】
【００２０】
本考案にかかるストッパ付きドアによれば、ストッパ不使用時には、ドア内に装填した状態とし、ストッパ使用時にドア本体の下方に突出させることができるので、ストッパ紛失の恐れがなくまた、通行の邪魔になることもない。更に、外部からはほとんど視認できないので、ドアの美観を損なうこともない。
【考案を実施するための最良の形態】
【００２１】
以下、本考案における実施の形態について図面を参照にして詳細に説明する。図1（Ａ）及び（Ｂ）は、それぞれ本実施の形態にかかるストッパ付きドアの構成を示しており、同図（Ａ）は建物の内側から視た図及び同図（Ｂ）はその側面図である。なお、本実施の形態では、一般家庭の玄関口のドアを例として説明する。
【００２２】
同図（Ａ）に示されるように、本実施の形態にかかるストッパ付きドアのドア本体１０は、３箇所のヒンジ部１００が設けられている側を固定端側とし、反対側の端部を自由端側として開閉自在になるように図示しないドア枠にヒンジ部１００を取付けることによって設けられる。そして、このドア本体１０のノブ部１０２の直下には、所定幅でドア本体１０の下端まで貫通した下端開放のドア内空間１０ａが形成されており、このドア内空間１０ａには、後に詳細に説明するストッパ１２等が設けられている。
【００２３】
図２は、本考案にかかるストッパ付きドアのストッパ１２の取付け部分を示す説明図であり、ドア本体１０の一部及びストッパ１２の上部を示している。図示のように、本実施の形態ではドア内空間１０ａは下端側だけでなくドア本体１０の自由端側側面１０ｃ側も開放されている。また、内側ドア本体壁１０ｆには上下方向に所定長さ伸長してドア壁開口部１０ｂが貫通形成されている。
【００２４】
このドア内空間１０ａには、ストッパ１２を収納する金属性の収納カバー２４が装填されるが、図３は、この収納カバー２４の構成を示している。図示のように、収納カバー２４は、断面略コ字形に屈曲した板状体として形成されており、この収納カバー２４の内部にストッパ１２が収納される。また、収納カバー２４の図上正面側には、設置状態でドア本体１０のドア壁開口部１０ｂと対向する位置にカバー部開口２４ｂが同程度の大きさで設けられている。
【００２５】
そして、収納カバー２４の側端部には、外方に屈曲された突起部２４ａが形成されている。この突起部２４ａは、図２に示されるドア本体１０の自由端側側面１０ｃに当接する部分でドア本体１０への取付けが行われる。この取付けのために突起部２４ａには４ヶ所のねじ孔２４ｃが設けられている。そして、ドア本体１０の自由端側側面１０ｃには、これに対向するようにねじ孔１０ｄが設けられている。
【００２６】
なお、本実施の形態にかかるストッパ付きドアは、ドア本体１０にドア内空間１０ａを設けるため、ドアの強度が低下する恐れがあるが（特に木製のドアの場合）、この金属性の収納カバー２４の設置によって、ドア本体１０が補強され強度の低下を防止することができる。
【００２７】
図４は、ドア内空間１０ａに装填した収納カバー２４内に収納されるストッパ１２の斜視図であり、図５はストッパ１２の要部の構造説明図である。ストッパ１２は、ドア内空間１０ａと同程度の上下方向長さを有しており、図示のように、上部位置に上部部材１８を有している。この上部部材１８の上部は、薄い板状体である板状部１８ａで構成されており、その下部は、略直方体状の中間部１８ｂで構成されている。
【００２８】
また、取手１７の取付けは、図５に示したように板状部１８ａと中間部１８ｂの略境界位置に設けられた取手取付孔１９に螺入することにより行われている。この取手１７は、ドア本体１０の外部からの上下動操作でストッパ１２を上下方向に移動させるための操作突起として機能する。なお、本実施の形態では、上述の取手１７の取付けは、ストッパ１２がドア本体１０に装填され、後述するプレート３６がドア本体１０に設置された後に行われる。
【００２９】
そして、中間部１８ｂの下部には、中間部１８ｂより拡張した構成の略直方体状のバネ設置部１８ｃが設けられている。このバネ設置部１８ｃには、下方への付勢手段としてのバネ２０が２個設けられており、本実施の形態のバネ２０は、２個のつるまきバネで構成されているが、バネの種類及び個数はこれに限られるものではない。
【００３０】
また、バネ２０の下部には、正面視Ｔ字形の下部部材２２が設けられている。この下部部材２２には、一対のコ字形金具３４−１、３４−２がねじ３５により固定されている。このねじ３５による固定作業は、コ字形金具３４−１に設けられた貫通孔３４ａからねじ３５及び工具を通し行われる。このコ字形金具３４の下部には、床面と当接する例えば、ゴムで形成された制止部２６が設けられている。なお、本実施の形態では、床面と当接する制止部２６の当接面２６ａは、床面との摩擦力を増加させるために凹凸形状に形成されている。また、制止部２６は、ゴムで形成されているが、例えば、樹脂等の高摩擦部材で形成しても良い。
【００３１】
図６（Ａ）は、コ字形金具３４と制止部２６が取付けられた状態の斜視図、（Ｂ）はその側面図、（Ｃ）はその正面図である。図示のように、コ字形金具３４−１、３４−２は、それぞれ制止部２６の両側端上面に所定の接合手段で接合されている。なお、コ字形金具３４−２の一方の直立部には、ねじ３５を受けるナット３４ｂが設けられている。そして、図４に示した下部部材２２が２つのコ字形金具３４−１、３４−２の間に嵌入され、ねじ３５によって固定される。
【００３２】
なお、図７は、他の構成のコ字形金具３７と制止部２６の他の接合形態を示している。図示のように、コ字形金具３７−１、３７−２の上記一方の直立部に当る部位を制止部２６との設置面とした状態で、それぞれ逆向きに設置している。そして、双方の対向面部３７−１ａと対向面部３７−２ａに貫通孔３７ｂをそれぞれ形成し、この構成により、ねじ３５を２つの面部に通過させることでコ字形金属３７と下部部材２２との接合を行うことができる。これにより、組み立て作業の容易化が図られる。
【００３３】
次に、図２に示したようにドア本体１０の自由端側側面１０ｃの開放部には、ドア空間１０ａ内の部材を保護する保護被覆部材としての保護カバー４０が取付けられる。このため保護カバー４０は、収納カバー２４の突起部２４ａのねじ孔２４ｃ、及び、自由端側側面１０ｃのねじ孔１０ｄと対向する位置にねじ孔４０ａを有し、これらのねじ孔を用いて一括してねじ４２により、螺合して取付けられる。
【００３４】
そして、内側ドア本体壁１０ｆのドア壁開口部１０ｂの位置には、取手１７の上下位置を固定するためのプレート３６が取付けられる。このプレート３６には、支持棒３８ａを有した支持プレート３８が、その支持棒３８ａをドア本体１０の外側からドア本体１０に設けられた４ヶ所の小孔部１０ｅと、図３に示される収納カバー２４に設けられた４ヵ所の小孔部２４ｄを通過してドア本体１０の内側に貫通させた状態で、プレート３６のねじ孔３６ｃから通したねじ４４で螺合することにより取付けられている。
【００３５】
なお、本実施の形態では、このプレート３６と支持プレート３８は、ドア本体１０を挟んだ状態で結合されて取付けられるが、支持プレート３８を用いず、内側ドア本体壁１０ｆに直接ねじ止め等で固定してもよい。
【００３６】
図８（Ａ）及び（Ｂ）は、プレート３６及び支持プレート３８の構成説明図である。同図に示したように、プレート３６には、上下方向に所定長さ貫通形成された上下孔３６ａに、上下方向の異なる複数の位置へ上下孔３６ａから左右に拡張して係止孔３６ｂが形成されている。この上下孔３６ａは、上述の取手１７が外方へ突出するための孔であり、取手１７の上下方向の移動を許容する。
【００３７】
また、本実施の形態では、係止孔３６ｂは、上下孔３６ａから斜め上方に所定長さ伸張した状態で形成されており、最上部位置にある係止孔３６ｂ１から最下部位置にある３６ｂ１８までの１８個設けられている。
【００３８】
次に、このプレート３６を用いたストッパ１２の使用動作について説明する。先ず、ストッパ１２の不使用時には、取手１７は、上下孔３６ａの最上方位置の係止孔３６ｂ１に係止されている。これにより、ストッパ１２は、収納カバー２４の内部に全体が収納された状態となっている。
【００３９】
次に、ストッパ１２の取手１７を把持し上下孔３６ａに沿って下方向に変位させる操作を行うことにより、ドア内空間１０ａ内のストッパ１２が収納カバー２４の内部で下方向に移動する（図１参照）。この動作により図４及び図６に示された制止部２６がドア本体１０の下方から突出する。これにより制止部２６の当接面２６ａが床面と当接する。
【００４０】
この時、バネ２０により下部部材２２は下方向に付勢されるので、制止部２６は、バネ２０の付勢が加わった力で床面と強く当接する。そして、この制止部２６の当接面２６ａと床面との摩擦力により、ドア本体１０の開閉移動は制止されるので、半開放状態を維持することができる。
【００４１】
また、プレート３６に上下孔３６ａを設け、その上下孔３６ａに係止穴部３６ｂを連続形成するだけの容易な構成方法で、操作突起となる取手１７を移動及び固定させる機構を構成することができる。
【００４２】
更に、図４に示される上部部材１８の板状部１８ａが図２に示されるドア壁開口部１０ｂを塞いで、外部からドア内空間１０ａを遮蔽しているので、ドア壁開口部１０ｂを通して外部からドア内空間１０ａが剥き出しとなることによる美観の損出を防止することができる。
【００４３】
そして、本実施の形態において上述の取手１７の取付けは、図２に示したように、ドア本体１０の外部から上下孔３６ａ又は係止孔３６ｂ及び、収納カバー２４のカバー部開口２４ｂを通ってストッパ本体１３の取手取付け孔１９に螺入されて行われる。
【００４４】
図９は、本実施の形態にかかるストッパ付ドアの要部断面図である。同図に示される上記各部材の設置状況により本実施の形態にかかるストッパ付きドアの構成を理解することができる。
【００４５】
次に、本実施の形態により得られる効果について説明する。本実施の形態によれば、ストッパ１２がドア内空間１０ａに配置されているので、ストッパ１２紛失の恐れがなくまた、出入りの邪魔になることもない。更に、外部からはほとんど視認できないので、ドア本体１０の美観を損なうこともない。また、本実施の形態にかかるストッパ付きドアでは、ドア本体１０の外側からは、支持プレート３８しか見えないので、ドア本体１０の美観を損ねることがない。
【００４６】
また、ストッパ１２の使用時に、バネ２０及び制止部２６の弾力によって床面の当接力が得られているので、制止部２６と床面との間の摩擦力が増加し、ドア本体１０の開閉移動を制止する制止力が増加する。従って、ドア本体１０の高重量化にも対応することができる。
【００４７】
更に、ストッパ１２の移動経路が収納カバー２４によって構成されていることから、上述のバネ２０の撓み等によるストッパ１２のドア内空間１０ａ内での横ずれが防止され、ストッパ１２の移動の安定化が図られている。
【００４８】
また、係止孔３６ｂが上下方向のことなる複数箇所に設けられていることにより、バネ２０の付勢力をストッパの上下位置調節で細かく段階的に変化させることができるので、その付勢力の大小に依存するストッパ１２と床面との摩擦力を的確に調節することができる。
【００４９】
なお、上下孔３６ａの上下方向の長さを十分に確保することで、ドア本体１０と床面との隙間が比較的大きいような場合でも、取手１７をその隙間の大きさに応じた上下方向位置にある係止孔３６ｂ１〜３６ｂ１８を選択して使用し、適切な位置にストッパ１２を固定させることができ、ドア本体１０の開閉動作に対する制止力を的確に得ることができる。
【００５０】
また、保護カバー４０を取外すという簡単な作業により、自由端側側面１０ｃの開口１０ｇからストッパ１２及び収納カバー２４が露出するので、それらのメンテナンスや清掃を容易に行うことができる。
【００５１】
更に、本実施の形態では、ストッパ１２、収納カバー２４、プレート３６及び支持プレート３８が支持棒３８ａにねじ４４を螺合させてドア本体１０に取付けられている状態であることから、取付け棒３８ａとねじ４４の螺合を解いて各部材を容易に分離することができるので、さらに容易にメンテナンス等を行うことができる。更に、ストッパ１２の使用の操作は、取手１７の移動操作だけで行うことができるので、大多数の人に非常に容易に行うことができる。
【００５２】
なお、本考案は、上記実施の形態に限られるものでなく、考案の要旨の範囲内で種々の変更が可能である。例えば、本実施の形態では、床面との当接制止部材として制止部２６を用い、摩擦力によりドアの移動を制止しているが、これに限られず、床面に差込部を設け当接制止部材に金属棒等を用い、上記差込部に差し込んで係止することで、ドアの移動を制止するようにしても良い。
【００５３】
また、本実施の形態では、一般家庭の玄関口のドアを想定しているが、これに限られるものではなく、室内用ドアやオフィス用ドア等の他のドアに本発明を適用することも可能である。
【図面の簡単な説明】
【００５４】
【図１】ドア本体の正面視及び側面図である。
【図２】本実施の形態にかかるストッパ付ドアのストッパの取付け部分を示す説明図である。
【図３】収納カバーの要部斜視図である。
【図４】ストッパの要部斜視図である。
【図５】ストッパの要部の構成説明図である。
【図６】コ字形金具と制止部の取付け状態を説明する説明図である。
【図７】コ字形金具と制止部の取付け状態の他の例を示す説明図である。
【図８】プレート及び取付け用プレートの説明図である。
【図９】本実施の形態にかかるストッパ付ドアの要部の説明図である。
【符号の説明】
【００５５】
１０    ドア本体
１０ａ  ドア内空間
１０ｂ  ドア壁開口部
１２    ストッパ
１７    取手（操作突起）
２０    バネ（付勢手段）
２４    収納カバー（支持枠体）
２６    制止部（当接制止部材）
３６    プレート（操作突起位置固定部）
３６ａ  上下孔
３６ｂ  係止孔
４０    保護カバー（保護被覆部材）
【図１】
0003119781.tif 000003
【図２】
0003119781.tif 000004
【図３】
0003119781.tif 000005
【図４】
0003119781.tif 000006
【図５】
0003119781.tif 000007
【図６】
0003119781.tif 000008
【図７】
0003119781.tif 000009
【図８】
0003119781.tif 000010
【図９】
0003119781.tif 000011